(57)【要約】【課題】自由度の高い配置を可能とし、作業効率を向上させることを目的とする。【解決手段】セル作業台２７の天板部２の周辺部に連続的に補助天板部３を設け、天板部２から補助天板部３にかけて屈曲させることにより、セル作業台２７の配置の自由度を高め、作業効率を向上させることができる。【選択図】図１
2016159391.tif 000002
【特許請求の範囲】
【請求項１】
天板上面を備える天板部と、
補助天板上面が前記天板上面と面一に設けられる補助天板部と、
脚部フレームと、
前記脚部フレーム上に接続されて前記天板部および前記補助天板部の両方または前記天板部を保持する天板固定フレームと、
前記脚部フレームの前記天板固定フレームの設置部と反対側の下端部に設けられる可動装置と
を有し、前記天板部および前記補助天板部で屈曲天板を構成され、前記屈曲天板の上面が作業面となり、前記作業面の外周辺が前記天板部と前記補助天板部との境界部分で屈折して前記補助天板部が前記天板部の外周辺の延長線から突出することを特徴とするセル作業台。
【請求項２】
複数の前記補助天板部が設けられることを特徴とする請求項１記載のセル作業台。
【請求項３】
前記天板部と前記補助天板部とが分離可能に設けられ、前記補助天板部が折りたたむことができることを特徴とする請求項１または請求項２に記載のセル作業台。
【請求項４】
それぞれ上面形状の異なる複数の前記天板部および前記補助天板部があらかじめ用意されており、前記天板部および前記補助天板部を選択して、前記天板固定フレームに固定して形成されることを特徴とする請求項３記載のセル作業台。
【請求項５】
前記天板部および前記補助天板部が一体形状の屈曲天板であることを特徴とする請求項１または請求項２に記載のセル作業台。
【請求項６】
前記屈曲天板があらかじめ用意されており、前記屈曲天板を選択して、前記天板固定フレームに固定して形成されることを特徴とする請求項５記載のセル作業台。
【請求項７】
前記天板部と前記補助天板部とがなす前記補助天板部が突出する側の角度が１００°以上１６０°以下であることを特徴とする請求項１〜請求項６のいずれか１項に記載のセル作業台。
【請求項８】
前記補助天板部の外周辺の延長線の少なくとも１つが前記天板部のいずれかの外周辺の１つの延長線と直交することを特徴とする請求項１〜請求項７のいずれか１項に記載のセル作業台。
【請求項９】
前記補助天板部の前記天板部と接しない外周辺の延長線と、前記天板部の前記補助天板部と接する外周辺の内の前記補助天板部が突出する側の外周辺の延長線とがなす前記補助天板部が突出する側の角度が０°より大きく９０°未満であることを特徴とする請求項１〜請求項８のいずれか１項に記載のセル作業台。
【請求項１０】
前記補助天板部の外周辺に少なくとも１つの連結部を設けることを特徴とする請求項１〜請求項９のいずれか１項に記載のセル作業台。
【請求項１１】
請求項１〜請求項９に記載のセル作業台を複数個組み合わせて、前記補助天板部の外周辺の１つで接触されてなることを特徴とする連結セル作業台。
【請求項１２】
請求項１０に記載のセル作業台を複数個組み合わせて、前記補助天板部の外周辺の１つで接触され、前記連結部同士で連結されてなることを特徴とする連結セル作業台。
【発明の詳細な説明】
【技術分野】
【０００１】
天板上で作業を行うセル作業台およびセル作業台が連結される連結セル作業台に関する。
【背景技術】
【０００２】
ＰＣや産業用機器をはじめとする各種機器の組み立てや修理，検査等の作業を行う際には、可動式の作業台であるセル作業台を用いる。セル作業台は可動式のテーブル形状であり、作業台として機器や、作業に用いる道具等を載置できる天板を備える。従来のセル作業台において、天板は、作業面である上面が矩形である。また、組立作業等は複数のセル作業台を連ね流れ作業的に行われることがあった。
【先行技術文献】
【特許文献】
【０００３】
【特許文献１】特表２００８−５４２０５２号公報
【発明の概要】
【発明が解決しようとする課題】
【０００４】
しかしながら従来のセル作業台は、天板の上面が矩形であるため一列に並べる場合には便利であるが、フレキシブルに連結して配置した場合、セル作業台間に隙間が生じて安定した配置が困難であったり、デッドスペースが生じて効率的な作業領域の確保が困難であったりするという問題点があった。また、ＰＣや産業用機器等の作業の場合、数人の作業員が作業を分担して行うことが多いが、従来のセル作業台では作業員の作業領域を近づけて数台のセル作業台を並べることが困難であり、作業効率が悪くなる場合があった。
【０００５】
本発明は、自由度の高い配置を可能とし、作業効率を向上させることを目的とする。
【課題を解決するための手段】
【０００６】
本発明のセル作業台は、天板上面を備える天板部と、補助天板上面が前記天板上面と面一に設けられる補助天板部と、脚部フレームと、前記脚部フレーム上に接続されて前記天板部および前記補助天板部の両方または前記天板部を保持する天板固定フレームと、前記脚部フレームの前記天板固定フレームの設置部と反対側の下端部に設けられる可動装置とを有し、前記天板部および前記補助天板部で屈曲天板を構成され、前記屈曲天板の上面が作業面となり、前記作業面の外周辺が前記天板部と前記補助天板部との境界部分で屈折して前記補助天板部が前記天板部の外周辺の延長線から突出することを特徴とする。
【０００７】
また、本発明の連結セル作業台は、前記セル作業台を複数個組み合わせて、前記補助天板部の外周辺の１つで接触されてなることを特徴とする。
【発明の効果】
【０００８】
以上のように、セル作業台の天板の周辺部に連続的に補助天板を設け、天板から補助天板にかけて屈曲させることにより、セル作業台の配置の自由度を高め、作業効率を向上させることができる。
【図面の簡単な説明】
【０００９】
【図１】本発明のセル作業台の構成を説明する斜視図
【図２Ａ】本発明のセル作業台に用いる屈曲天板の天板部と補助天板部の構成を説明する概略図
【図２Ｂ】本発明のセル作業台に用いる屈曲天板の構成を説明する図
【図３】本発明のセル作業台に用いるフレームの構成を説明する図
【図４】本発明のセル作業台の作業態様を例示する図
【図５】本発明の連結セル作業台の構成例を示す概略図
【図６】本発明の連結セル作業台の構成例を示す概略図
【図７】本発明の連結セル作業台の構成例を示す概略図
【発明を実施するための形態】
【００１０】
セル作業台は、ＰＣや産業用機器をはじめとする各種機器を作業者が、組み立てたり、修理したり、梱包したり、検査したりといった作業をするための作業台である。セル作業台はフレームと天板とを備え、天板の上面が作業面となる。天板は、作業者が立った状態、または座った状態で作業を行える床からの高さのフレームに保持される。セル作業台は、フレームの下部であるフレームの床への接地部分に、キャスター等の可動装置を備え、作業場所を移動できる可動式である。作業面やフレームには、作業に用いる部品や材料、道具等をおいておく場所やトレイ等が設けられる場合もある。本発明のセル作業台の特徴は、天板の端部が作業者側に屈曲することである。また、屈曲した屈曲天板の外周辺どうしを接続して複数のセル作業台を接続し、連結セル作業台を構成することもできる。
【００１１】
以下、本発明のセル作業台および連結セル作業台の実施の形態について図面を用いて説明する。
（実施の形態１）
まず、図１〜図４を用いて実施の形態１におけるセル作業台について説明する。
【００１２】
図１は本発明のセル作業台の構成を説明する斜視図、図２Ａは本発明のセル作業台に用いる屈曲天板の天板部と補助天板部の構成を説明する概略図、図２Ｂは本発明のセル作業台に用いる屈曲天板の構成を説明する図、図３は本発明のセル作業台に用いるフレームの構成を説明する図、図４は本発明のセル作業台の作業態様を例示する図である。
【００１３】
本発明のセル作業台２７は、屈曲天板１とフレーム４とから構成される。
屈曲天板１は天板部２と補助天板部３とから構成される。天板部２は作業者１２が立つまたは座る位置に面する外周辺５および、補助天板部３と接する外周辺６を少なくとも備える。図では天板部２の上面形状が矩形であるので、外周辺５と外周辺６は交差し、外周辺６は外周辺５を挟んで向かい合う２辺である。補助天板部３は、図に示すように２つの外周辺６の両方に接して２つが設けられても良いが、２つの外周辺６の一方に接して１つが設けられても良い。補助天板部３は、外周辺７と外周辺６が接するように天板部２に接続される。外周辺７の長さは外周辺６の長さと同じでも良く、異なる長さでも良い。補助天板部３の上面形状は平行四辺形等とすることができ、屈曲天板１において、補助天板部３の一部が外周辺５の延長線１１上から作業者１２側に突出し、外周辺５と外周辺８とを結んだ直線が屈曲するような形状であれば良い。なお、補助天板部３の外周辺９は、屈曲天板１において外周辺５の延長線１１と直交しても傾いても良い。また、屈曲天板１は一体形成されても良いし、別々に設けられた天板部２と補助天板部３とが接続される形態でも良い。
【００１４】
フレーム４は、脚部フレーム１３と脚部フレーム１３上に固定されて屈曲天板１を固定する天板固定フレーム１４とを少なくとも備える。屈曲天板１は天板固定フレーム１４上にネジ等で固定する。脚部フレーム１３の下端部１５にはキャスター等の可動装置１６が設けられ、脚部フレーム１３は可動装置１６を介して床と接する。可動装置１６を備えることにより、本発明のセル作業台２７は移動可能である。なお、フレーム４はさらに、部品や資料等を載置できる補助台１７を固定できる補助フレーム１８、モニター１９等を固定できる吊りフレーム２０等を備え、脚部フレーム１３に固定されて、補助フレーム１８や吊りフレーム２０等を固定するためのポール２１等を備えても良い。この場合、屈曲天板１にポール２１を通すための穴部２２を設けても良い。また、フレーム４は、断面が円や矩形のパイプで形成しても良いし、一部が板状でも良い。断面が円形のパイプでフレーム４を形成すると、作業者１２と接触しても接触の圧力が緩和され、人に優しい構造となるため好ましい。さらに、屈曲天板１が別々に設けられた天板部２と補助天板部３とが接続される形態で天板部２と補助天板部３とが分離可能な場合、天板固定フレーム１４は天板フレーム部２３と補助天板フレーム部２４とに分けて構成されても良い。このとき、補助天板フレーム部２４は折り畳み可能な形態とすることもでき、これにより補助天板部３を折りたたんで、未使用時等にコンパクト化することができる。
【００１５】
以上のように、本発明のセル作業台２７は、屈曲天板１がその一端部あるいは両端部が屈曲し、端部に相当する補助天板部３の少なくとも一部が突出部２６として外周辺５の延長線１１上から作業者１２側に突出する。すなわち、屈曲天板１の周縁部は、外周辺５から外周辺８にかけて屈曲し、外周辺１０から外周辺２３にかけて屈曲するような、外周辺８および外周辺２３と外周辺９とを外周辺５，１０以外に備える。このような外周辺８，外周辺２３および外周辺９を備えることにより、本発明のセル作業台２７は、複数のセル作業台２７を外周辺８，外周辺２３および外周辺９で接続することができる。外周辺８，外周辺２３および外周辺９は外周辺５，６，１０に対して鋭角に傾くので、複数のセル作業台２７を外周辺８，外周辺２３および外周辺９で接続することにより、接続する外周辺を選んで、自由に省スペースで効率的なセル作業台２７の配置を行い、作業効率を向上させることができる。また、一般的に天板が一定以上の大きさである方が作業効率は向上する。しかし、天板が大きすぎると、天板の角部分は作業者１２の手が届かずにデッドスペースとなる場合があった。本発明のセル作業台２７では、屈曲天板１の角部２５は天板が存在しない領域となり、代わりに突出部２６が作業者１２の近傍に存在する。そのため、作業者１２の手が届かないデッドスペースをなくし、手の届く範囲の作業領域を増やしながら、なくしたデッドスペース部分に他のセル作業台２７を配置して省スペースで効率的なセル作業台２７の連結を行うことも可能となる。
【００１６】
なお、外周辺５，６，１０，７，８，９，２３の長さや、外周辺５と外周辺８とが成す角度α、外周辺８と外周辺９とが成す角度βは作業内容に応じて任意に決定することができる。また、天板部２や補助天板部３の形状も四角形に限らず任意の形状にすることも可能である。
【００１７】
さらに、サイズや形状の異なる屈曲天板１を複数用意し、作業内容等に応じて屈曲天板１を付け替えてセル作業台２７を形成することもできる。この場合、屈曲天板１を天板固定フレーム１４に取り外し可能なようにネジ等で固定する。例えば、外周辺５，６，７，９，１０の長さは５００ｍｍ以上９００ｍｍ以下、外周辺８，２３の長さは３００ｍｍ以上５００ｍｍ以下、周辺５と外周辺８とが成す角度αは１００°以上１６０°以下、外周辺８と外周辺９とが成す角度βは３０°以上７０°以下の範囲で選択することができ、外周辺６と外周辺９とを平行にすることもでき、これらの組み合わせで複数の屈曲天板１を複数用意することもできる。また、外周辺５と外周辺１０との長さが異なっても良い。また、補助天板部３が複数設けられる場合、それぞれの補助天板部３のサイズや形状が異なっても良い。さらに、一体形状の屈曲天板１を複数用意しても良いし、天板部２および補助天板部３、あるいは天板部２または補助天板部３の一方を複数用意しこれらを組み合わせても良い。このように、サイズや形状の異なる屈曲天板１を複数用意し、作業内容等に応じて屈曲天板１を付け替えてセル作業台２７を形成することにより、より作業効率が向上され、セル作業台２７の連結の自由度が高まり、省スペースで効率的なセル作業台２７の配置が可能となる。
（実施の形態２）
次に、実施の形態２として実施の形態１に示すセル作業台が複数連結された連結セル作業台について、図４〜図７を用いて説明する。
【００１８】
図５〜図７は本発明の連結セル作業台の構成例を示す概略図であり、屈曲天板の平面配置を示す。
本発明の連結セル作業台は、実施の形態１に示した任意の個数のセル作業台２７を、外周辺９，２３あるいは外周辺１０のいずれかの全辺または辺の一部で接するように配置される。従来の天板上面が矩形のセル作業台の場合、セル作業台を横に並べるか向かい合わせに並べるか、角度をつけ部分的に間隔を空けて並べた連結セル作業台しか構成できなかった。そのため、複数の作業者１２で作業が連続する場合や、共通の部品や道具を用いる場合、セル作業台２７間に隙間ができたり、周辺の作業者１２間の距離が遠くなったりして作業効率が悪化することがあった。本発明の連結セル作業台は、実施の形態１に示したセル作業台２７を連結することにより、外周辺９や外周辺２３を外周辺５に対して任意の角度をつけて構成することが可能であるので、自由な配置でセル作業台２７が接続される構成とすることができる。このような構成により、各セル作業台２７の作業面積を十分確保し、デッドスペースを削減した状態で、各作業者１２からみて周辺のセル作業台２７との距離を近づかせて作業効率を向上させながら、自由かつ省スペースで効率的なセル作業台２７の配置が可能となる。なお、外周辺を辺で接触させてセル作業台２７を連結しても良いが、外周辺を点で接触させてセル作業台２７を配置することも可能である。また、連結時に各セル作業台２７間に隙間が生じることを抑制するために、天板部と補助天板部とが接続される箇所である各連結辺に連結部（図示せず）を設けても良い。連結部は、天板部と補助天板部とを連結辺で接続して固定する取付金具等である。連結部を設けることにより、連結された各セル作業台２７が相対的に移動することが抑制でき、作業中に各セル作業台２７間に隙間が生じることが抑制できる。
【００１９】
以下、図５〜図７を用いて、セル作業台２７の具体的な配置例について説明する。
図５に示す連結セル作業台は、外周辺９同士が接するように隣接するセル作業台２７が連結される構成である。これにより、作業者１２がセル作業台２７に対して同一側に一列に並ぶように連結セル作業台が構成される。この構成により、各セル作業台２７の作業面積を十分確保し、デッドスペースを削減した状態で、各作業者１２からみて周辺のセル作業台２７との距離を近づかせて作業効率を向上させながら、自由かつ省スペースで効率的なセル作業台２７の配置が可能となる。さらに、外周辺５の延長線１１と外周辺９とが成す角度γを０°より大きく９０°未満にすることにより、複数のセル作業台２７の延長線１１が一直線に並ばず、作業者１２を内側にして環状または半環状にセル作業台２７が配置される。セル作業台２７が環状に配置され、内側に作業者２７が配置されることにより、各作業者１２の連携が良い構成となり、作業効率が向上され、連結セル作業台の配置面積も低減される。
【００２０】
図６に示す連結セル作業台は、外周辺２３同士が接するように隣接するセル作業台２７が連結される構成である。これにより、作業者１２がセル作業台２７に対して交互に反対側に並ぶように連結セル作業台が構成される。この構成により、各セル作業台２７の作業面積を十分確保し、デッドスペースを削減した状態で、隣接するセル作業台２７同士で作業領域を共有することが容易となり、作業効率を向上させながら、自由かつ省スペースで効率的なセル作業台２７の配置が可能となる。
【００２１】
また、外周辺９と外周辺２３や外周辺１０、外周辺２３と外周辺１０とが接するようにセル作業台２７を配置しても良い。
さらに、図７に示すように、セル作業台２７を環状または半環状に配置された上、環状に配置された１つまたは複数のセル作業台２７の外周辺１０や外周辺２３，９が他のセル作業台２７の外周辺９，１０，２３と接触するようにセル作業台２７が連結されても良い。つまり、様々な連結方法が組み合わされて連結セル作業台が構成されても良い。これにより、さらにセル作業台２７の配置の自由度が向上され、作業効率が向上される。
【符号の説明】
【００２２】
１    屈曲天板
２    天板部
３    補助天板部
４    フレーム
５    外周辺
６    外周辺
７    外周辺
８    外周辺
９    外周辺
１０    外周辺
１１    延長線
１２    作業者
１３    脚部フレーム
１４    天板固定フレーム
１５    下端部
１６    可動装置
１７    補助台
１８    補助フレーム
１９    モニター
２０    吊りフレーム
２１    ポール
２２    穴部
２３    天板フレーム部
２４    補助天板フレーム部
２５    角部
２６    突出部
２７    セル作業台
【図１】
2016159391.tif 000003
【図２Ａ】
2016159391.tif 000004
【図２Ｂ】
2016159391.tif 000005
【図３】
2016159391.tif 000006
【図４】
2016159391.tif 000007
【図５】
2016159391.tif 000008
【図６】
2016159391.tif 000009
【図７】
2016159391.tif 000010